(57)【要約】【課題】  マルチフレーム画像ファイルから医用的に有用なシングルフレーム形式の医用画像を表したシングルフレーム画像ファイルを得る。【解決手段】  通信部１５はプロセッサ１１の制御の下に、マルチフレーム画像ファイルをモダリティ２０から取得する。プロセッサ１１は、マルチフレーム画像ファイルに含まれたマルチフレーム画像データに基づいて、その１フレーム分の医用画像を表したシングルフレーム画像データを生成する。プロセッサ１１は、マルチフレーム画像ファイルに含まれた付帯情報に基づいて、上記の生成されたシングルフレーム画像データに関する付帯情報を生成する。そしてプロセッサ１１は、上記の生成されたシングルフレーム画像データおよび付帯情報を含んだシングルフレーム画像ファイルを生成する。【選択図】      図１
2010051476.tif 000002
【特許請求の範囲】
【請求項１】
マルチフレーム形式の医用画像を表した医用画像データと前記医用画像データに関する付帯情報とを含んだ医用データファイルを取得する取得手段と、
前記取得手段により取得された前記医用データファイルに含まれた前記医用画像データに基づいて、当該医用画像データが表す医用画像のうちの１フレームに関する医用画像を表したシングルフレーム形式の医用画像データを生成する静止画生成手段と、
前記取得手段により取得された前記医用データファイルに含まれた前記付帯情報に基づいて、前記静止画生成手段により生成された前記シングルフレーム形式の医用画像データに関する付帯情報を生成する付帯情報生成手段と、
前記静止画生成手段により生成された前記医用画像データと当該医用画像データに関して前記付帯情報生成手段により生成された付帯情報とを含んだ医用データファイルを生成するファイル生成手段とを具備したことを特徴とする医用データ変換装置。
【請求項２】
前記静止画生成手段は、前記取得手段により取得された前記医用データファイルが表す医用画像のうちの複数フレームのそれぞれに関する医用画像をそれぞれ表した複数の前記シングルフレーム形式の医用画像データを生成し、
前記付帯情報生成手段は、前記静止画生成手段により生成された複数の前記シングルフレーム形式の医用画像データのそれぞれに関する複数の付帯情報を生成し、
前記ファイル生成手段は、前記静止画生成手段により生成された複数の前記シングルフレーム形式の医用画像データをそれぞれ含むとともに、当該医用画像データに関して前記付帯情報生成手段により生成された付帯情報をそれぞれ含んだ複数の前記医用データファイルを生成することを特徴とする請求項１に記載の医用データ変換装置。
【請求項３】
前記静止画生成手段は、前記前記取得手段により取得された前記医用データファイルが表す医用画像のうちの全フレームのそれぞれに関する医用画像をそれぞれ表した複数の前記シングルフレーム形式の医用画像データを生成することを特徴とする請求項２に記載の医用データ変換装置。
【請求項４】
前記付帯情報生成手段は、前記取得手段により取得された前記医用データファイルに含まれた前記付帯情報に示された時刻情報と、前記静止画生成手段により生成された前記シングルフレーム形式の医用画像データが前記前記取得手段により取得された前記医用データファイルが表す医用画像のうちの何番目のフレームに関するかに基づいて前記静止画生成手段により生成された前記シングルフレーム形式の医用画像データが表す画像が撮像された時期を判定し、当該時期を表すように前記付帯情報を生成することを特徴とする請求項１に記載の医用データ変換装置。
【請求項５】
前記取得手段により取得された前記医用データファイルが表す医用画像のうちの任意の少なくとも１つのフレームを変換対象として設定する設定手段をさらに備え、
前記静止画生成手段は、前記取得手段により取得された前記医用データファイルが表す医用画像のうちの前記設定手段により変換対象として設定されたフレームに関する医用画像を表した前記シングルフレーム形式の医用画像データを生成することを特徴とする請求項２に記載の医用データ変換装置。
【発明の詳細な説明】
【技術分野】
【０００１】
本発明は、マルチフレーム形式の医用画像を表した医用画像データを含んだＤＩＣＯＭファイルなどの医用データファイルを、シングルフレーム形式の医用画像を表した医用画像データをそれぞれ含んだ複数の医用データファイルに変換する医用データ変換装置に関する。
【背景技術】
【０００２】
モダリティにおいてシネ撮像で生成される医用データファイルは、マルチフレーム形式の医用画像を表した医用画像データと、この医用画像データに関する付帯情報とを含む。
【０００３】
このような医用画像データに基づく医用画像の観察においては、汎用の医用画像ビューワにて複数フレームの画像を連続的に表示させる、いわゆるシネ表示が行われる。
【０００４】
医用画像ビューワには一般的に、シネ表示中の任意のタイミングにて表示を静止させる機能を備える。さらには、静止中の表示画像を表すシングルフレーム画像データを保存する、いわゆるキャプチャ機能を備える。このキャプチャ機能においては、表示画像をビットマップ形式やＪＰＥＧ（joint photographic coding experts group）形式の画像データとして保存する。
【０００５】
このキャプチャ機能によって生成される画像データは、元の医用データファイルとは無関係な独立したデータとして扱われる。このため、当該画像データからは、医用データファイルに含まれた付帯情報が表す例えば検査情報や患者情報などの情報を何ら有さない。また、当該画像データが表す画像の画質は医用画像ビューワの表示可能画質となってしまうため、元の医用データファイルに含まれた医用画像データが表す医用画像よりも画質が劣化してしまう場合が多い。
【特許文献１】特開２００５−３１６９９０
【発明の開示】
【発明が解決しようとする課題】
【０００６】
以上のように、従来のキャプチャ機能によるシングルフレーム画像データの取得では、医用画像としての価値の著しい低下と管理性の悪化を来すという不具合があった。
【０００７】
本発明はこのような事情を考慮してなされたものであり、その目的とするところは、マルチフレーム形式の医用画像を表した医用画像データを含んだ医用データファイルから医用的に有用なシングルフレーム形式の医用画像を表した医用画像データを含んだ医用データファイルを得ることが可能な医用データ変換装置を提供することにある。
【課題を解決するための手段】
【０００８】
本発明の一態様による医用データ変換装置は、マルチフレーム形式の医用画像を表した医用画像データと前記医用画像データに関する付帯情報とを含んだ医用データファイルを取得する取得手段と、前記取得手段により取得された前記医用データファイルに含まれた前記医用画像データに基づいて、当該医用画像データが表す医用画像のうちの１フレームに関する医用画像を表したシングルフレーム形式の医用画像データを生成する静止画生成手段と、前記取得手段により取得された前記医用データファイルに含まれた前記付帯情報に基づいて、前記静止画生成手段により生成された前記シングルフレーム形式の医用画像データに関する付帯情報を生成する付帯情報生成手段と、前記静止画生成手段により生成された前記医用画像データと当該医用画像データに関して前記付帯情報生成手段により生成された付帯情報とを含んだ医用データファイルを生成するファイル生成手段とを備える。
【発明の効果】
【０００９】
本発明によれば、マルチフレーム形式の医用画像を表した医用画像データを含んだ医用データファイルから医用的に有用なシングルフレーム形式の医用画像を表した医用画像データを含んだ医用データファイルを得ることが可能となる。
【発明を実施するための最良の形態】
【００１０】
以下、図面を参照して本発明の一実施形態について説明する。
【００１１】
図１は本実施形態に係る医用データ変換装置１０の構成を示すブロック図である。
【００１２】
医用データ変換装置１０は、モダリティ２０およびＰＡＣＳ（picture archiving and communication system）３０にネットワーク４０を介して接続されている。モダリティ２０は、被検体を撮像して医用画像を取得するもので、Ｘ線ＣＴ（computed tomography）装置やＭＲＩ（magnetic resonance imaging）装置などのようなマルチフレーム形式の医用画像データ（以下においてはマルチフレーム画像データと称する）を生成する機能を有するものであれば如何なる装置であっても良い。モダリティ２０は、生成したマルチフレーム画像データを、そのマルチフレーム画像データに関する付帯情報とともに含んだ医用データファイル（以下においてはマルチフレーム画像ファイルと称する）を生成する。モダリティ２０は、生成した医用データファイルを医用データ変換装置１０およびＰＡＣＳ３０に適宜に送信する。医用データ変換装置１０は、モダリティ２０から医用データ変換装置１０に送信された医用データファイルに基づいて、シングルフレーム形式の医用画像を表した１つまたは複数の医用画像データ（以下においてはシングルフレーム画像データと称する）と、この１つまたは複数のシングルフレーム画像データに対応した１つまたは複数の付帯情報とを生成する。医用データ変換装置１０は、１組のシングルフレーム画像データおよび付帯情報を含んだ医用データファイル（以下においてはシングルフレーム画像ファイルと称する）を１つまたは複数生成する。医用データ変換装置１０は、生成した１つまたは複数のシングルフレーム画像ファイルをＰＡＣＳ３０へ送信する。ＰＡＣＳ３０は、医用データ変換装置１０から送信されるシングルフレーム画像ファイルやモダリティ２０から送信されるマルチフレーム画像ファイルを記憶し、それを保管、送信、あるいは表示などすることができるように管理する。
【００１３】
なお、マルチフレーム画像ファイルおよびシングルフレーム画像ファイルのフォーマットは、既知のフォーマットおよび独自のフォーマットのうちの任意のフォーマットで良いが、以下においてはＤＩＣＯＭに準拠するフォーマットであるとして説明する。
【００１４】
医用データ変換装置１０は、プロセッサ１１、記憶部１２、表示部１３、操作部１４および通信部１５を含む。これらの各部は、バス１６を介して互いに接続されている。この医用データ変換装置１０は、例えば汎用のサーバ装置やコンピュータ装置を基本ハードウェアとして用いることができる。
【００１５】
プロセッサ１１は、記憶部１２に記憶されたプログラムに基づいて動作し、以下のような複数の機能を実現する。上記の機能の１つは、モダリティ２０から送信されたマルチフレーム画像ファイルを通信部１５により受信させることで取得し、この取得したマルチフレーム画像ファイルを記憶部１２に記憶させる。上記の機能の１つは、記憶部１２に記憶されたマルチフレーム画像ファイルに含まれたマルチフレーム画像データに基づいて、このマルチフレーム画像データに含まれた全フレームに関する医用画像をそれぞれ示した複数のシングルフレーム画像データを生成する。上記の機能の１つは、記憶部１２に記憶されたマルチフレーム画像ファイルに含まれた付帯情報に基づいて、上記の複数のシングルフレーム画像データのそれぞれに関する付帯情報を生成する。上記の機能の１つは、上記の複数のシングルフレーム画像データのそれぞれと、各シングルフレーム画像データに関する上記の付帯情報とをそれぞれ含んだ複数のシングルフレーム画像ファイルを生成する。
【００１６】
記憶部１２は、プロセッサ１１に上記の各種機能を実現させるためのプログラムや、マルチフレーム画像ファイルおよびシングルフレーム画像ファイルなどを記憶する。
【００１７】
表示部１３は、操作者に対して提示するべき画像をプロセッサ１１の制御の下に表示する。この表示部１３では、医用データ変換装置１０のメンテナンスのための画像を表示するほか、記憶部１２に記憶されたマルチフレーム画像ファイルまたはシングルフレーム画像ファイルに含まれたマルチフレーム画像データまたは静止画データが表す画像を表示することもできる。
【００１８】
操作部１４は、操作者によるプロセッサ１１への各種の指示を入力する。操作部１４は、入力した指示をプロセッサ１１に伝える。
【００１９】
通信部１５は、ネットワーク４０を介してモダリティ２０およびＰＡＣＳ３０と通信する。
【００２０】
次に以上のように構成された医用データ変換装置１０の動作について説明する。
【００２１】
シネ撮像に際して、そのシネ撮像により得られた動画像を複数の静止画に分割する必要がある場合、モダリティ２０の操作者はマルチフレーム画像ファイルの送信先として医用データ変換装置１０を指定する。なお、上記の動画像を複数の静止画に分割するとともに、そのまま保存することも必要である場合には、モダリティ２０の操作者はマルチフレーム画像ファイルの送信先として医用データ変換装置１０およびＰＡＣＳ３０の双方を指定することもできる。
【００２２】
モダリティ２０は、シネ撮像を行って生成したマルチフレーム画像ファイルを、ユーザにより指定された送信先へとネットワーク４０を介して送信する。
【００２３】
モダリティ２０から医用データ変換装置１０にマルチフレーム画像ファイルが送信されたならば、このマルチフレーム画像ファイルは通信部１５によって受信される。そして受信されたマルチフレーム画像ファイルは、プロセッサ１１の制御の下に記憶部１２に記憶される。そしてこのように記憶部１２にマルチフレーム画像ファイルが記憶されている状態においてプロセッサ１１は、このマルチフレーム画像ファイルに基づいて複数のシングルフレーム画像ファイルを生成するための以下のような処理を実行する。
【００２４】
図２はシングルフレーム画像データを生成するためのプロセッサ１１の処理手順を示すフローチャートである。
【００２５】
ステップＳａ１においてプロセッサ１１は、マルチフレーム画像ファイルに含まれた付帯情報中のＴＳ（transfer syntax：転送構文）がＩＬ（implicit VR little endian）であるか否かを確認する。すなわちプロセッサ１１は、マルチフレーム画像ファイルに含まれるマルチフレーム画像データにおける１フレーム分のデータが固定長および可変長のいずれであるかを確認する。
【００２６】
ＴＳがＩＬである場合、すなわち１フレーム分のデータが固定長である場合、プロセッサ１１はステップＳａ１からステップＳａ２へ進む。ステップＳａ２においてプロセッサ１１は、マルチフレーム画像ファイルに含まれる付帯情報から、Number of Frames、Rows、ColumnsおよびBit Allocatedのそれぞれの情報を取得するとともに、マルチフレーム画像ファイルに含まれるPixel Dataを取得する。なお、これらの情報のDICOM TAGは、それぞれ「0028,0008」「0028,0010」「0028,0011」「0028,0100」「7FE0,0010」である。そしてこれらの情報はそれぞれ、マルチフレーム画像データに含まれるフレーム数、１フレーム分の画像の画素行数、同画像の画素列数、１画素当たりのビット数およびマルチフレーム画像データを表す。そこで具体的にはプロセッサ１１は、マルチフレーム画像ファイルから上記の各DICOM TAGについて記述されている情報をそれぞれ取得する。
【００２７】
ステップＳａ３においてプロセッサ１１は、ステップＳａ２で取得した情報に基づいて１フレーム当たりのデータサイズＦＳを算出する。データサイズＦＳは、Rows、Columns、ならびにBit Allocatedのそれぞれの値の積算値として算出することができる。
【００２８】
ステップＳａ４においてプロセッサ１１は、上記の算出したデータサイズＦＳとマルチフレーム画像データに含まれるフレーム数Ｎとの積算値がPixel Dataのデータ量と一致しているか否かを確認する。そして両値が一致しているならば、プロセッサ１１はステップＳａ４からステップＳａ５へ進む。
【００２９】
ステップＳａ５においてプロセッサ１１は、変数ｎに「１」を代入する。
【００３０】
ステップＳａ６においてプロセッサ１１は、ＦＳ・（ｎ−１）＋１番目からＦＳ・ｎ番目までの画素データをマルチフレーム画像データから切り出す。
【００３１】
ステップＳａ７においてプロセッサ１１は、ステップＳａ６で切り出した画素データによりシングルフレーム画像データを生成し、これを記憶部１２に記憶させる。
【００３２】
ステップＳａ８においてプロセッサ１１は、変数ｎを１つ増加させる。
【００３３】
ステップＳａ９においてプロセッサ１１は、変数ｎがフレーム数Ｎ以下であるか否かを確認する。そしてプロセッサ１１は、変数ｎがフレーム数Ｎ以下であることをここで確認できるまで、ステップＳａ６乃至ステップＳａ９の処理を繰り返す。これにより、マルチフレーム画像データに含まれていた画素データがデータサイズＦＳごとに切り出されて、マルチフレーム画像データに含まれていたＮフレームにそれぞれ対応したＮ個のシングルフレーム画像データが生成される。そしてプロセッサ１１は、変数ｎがフレーム数Ｎ以下であることをステップＳａ９にて確認したならば、図２の処理を終了する。
【００３４】
ところで、ステップＳａ４にて両値が一致しないことを確認したならばプロセッサ１１は、ステップＳａ４からステップＳａ１０へ進む。ステップＳａ１０においてプロセッサ１１は、エラー告知を行う。このエラー告知は具体的には、例えばマルチフレーム画像ファイルが異常であることを医用データ変換装置１０の操作者に告知するための画像を表示部１３にて表示させたり、あるいはモダリティ２０に通知するなど任意であって良い。
【００３５】
続いてステップＳａ１１においてプロセッサ１１は、エラーログを記録する。こののちにプロセッサ１１は、シングルフレーム画像データを生成することなく図２の処理を終了する。
【００３６】
さて、ＴＳがＩＬではない場合、すなわち１フレーム分のデータが可変長である場合、プロセッサ１１はステップＳａ１からステップＳａ１２へ進む。ステップＳａ１２においてプロセッサ１１は、マルチフレーム画像ファイルに含まれる付帯情報からPixel Dataの情報を取得する。ちなみに、ＴＳがＩＬではない場合とは、例えば転送構文がJPEG Lossless, Non-Hierarchical, First-Order Predictionである場合が該当する。
【００３７】
ステップＳａ１３においてプロセッサ１１は、マルチフレーム画像ファイルからBasic Offset Table with Item Valueを取得する。Basic Offset Table with Item Valueは、それに続いてマルチフレーム画像ファイルに含まれる各フレームのデータの構造を図３に示すように表す。
【００３８】
ステップＳａ１４においてプロセッサ１１は、変数ｎに「１」を代入する。そしてこののちにプロセッサ１１は、ステップＳａ１３で取得したBasic Offset Table with Item Valueが示す構造に従って、以下のようにしてマルチフレーム画像データをフレーム毎に切り出し、シングルフレーム画像データを生成して行く。
【００３９】
ステップＳａ１５においてプロセッサ１１は、図３に示すようにＮフレームのそれぞれに関してマルチフレーム画像ファイルに含まれたFragment of Pixel Dataのうちのｎ番目に含まれたItem Lengthを取得する。具体的には、例えばｎが「１」であるときには、First Fragment (Frame 1) of Pixel Dataに含まれたItem Lengthを取得する。
【００４０】
ステップＳａ１６においてプロセッサ１１は、ステップＳａ１５で取得したItem Lengthの値が「０」であるか否かを確認する。そして当該値が「０」ではないならば、プロセッサ１１はステップＳａ１６からステップＳａ１７へ進む。
【００４１】
ステップＳａ１７においてプロセッサ１１は、ｎ番目のFragment of Pixel Dataに含まれたItem Valueを取得する。このItem Valueが、マルチフレーム画像データにおけるｎフレーム目に関する画素データである。従って、ｎ番目のフレームに関する画素データをマルチフレーム画像データから切り出したことになる。
【００４２】
ステップＳａ１８においてプロセッサ１１は、ステップＳａ１７で取得した画素データによりシングルフレーム画像データを生成し、これを記憶部１２に記憶させる。
【００４３】
ステップＳａ１９においてプロセッサ１１は、変数ｎを１つ増加させる。この上でプロセッサ１１は、ステップＳａ１５に戻る。さて、マルチフレーム画像ファイルには、マルチフレームの終端を示すItem Value値が「０」とされたFragment of Pixel Dataが必ず存在し、結果としてＮ＋１個のFragment of Pixel Dataが存在することになる。このため、変数ｎがフレーム数Ｎ以下であるときには、ステップＳａ１６からステップＳａ１７に移行することとなり、ステップＳａ１５乃至ステップＳａ１９の処理がＮ回繰り返される。これにより、マルチフレーム画像データに含まれていたＮフレームのデータのそれぞれに基づいて、Ｎ個のシングルフレーム画像データが生成される。
【００４４】
そして変数ｎがＮ＋１となっているときには、ステップＳａ１５で取得されるItem Lengthの値が「０」となる。この場合にプロセッサ１１は、ステップＳａ１５乃至ステップＳａ１９の処理ループをステップＳａ１６から抜け出して、図２の処理を終了する。
【００４５】
図４はシングルフレーム画像ファイルを生成するためのプロセッサ１１の処理手順を示すフローチャートである。
【００４６】
ステップＳｂ１においてプロセッサ１１は、マルチフレーム画像ファイルに含まれた付帯情報の全てを取得する。
【００４７】
ステップＳｂ２においてプロセッサ１１は、ステップＳｂ１にて取得した付帯情報から、Cine関連パラメータ、Multi-Frame関連パラメータ、Frame Pointers関連パラメータおよびMulti-Frame Overlay関連パラメータを全て削除する。具体的にはプロセッサ１１は、ステップＳｂ１にて取得した付帯情報から図５に示すような各パラメータを削除する。
【００４８】
ステップＳｂ３においてプロセッサ１１は、ステップＳｂ１にて取得した付帯情報からSerial Data、Serial Time、Frame Time、Frame DelayおよびInstance Numberを取得する。なお、これらの情報のDICOM TAGは、それぞれ「0008,0030」「0008,0031」「0018,1063」「0018,1066」「0020,0013」である。そしてこれらの情報はそれぞれ、検査時刻、シリーズ時刻、１フレームの撮像に要した時間、１フレームの撮像を終了してから次のフレームの撮像を開始するまでの遅延時間、ならびにインスタンス番号を表す。
【００４９】
ステップＳｂ４においてプロセッサ１１は、変数ｎに「１」を代入する。
【００５０】
ステップＳｂ５においてプロセッサ１１は、ｎ番目のシングルフレーム画像データに関する相対時刻を次式によって算出する。
【００５１】
相対フレーム時刻［ミリ秒］＝（Frame Delay［ミリ秒］＋Frame Time［ミリ秒］）×（ｎ−１）
ステップＳｂ６においてプロセッサは、ｎ番目のシングルフレーム画像データに関する算出時刻を次式によって算出する。
【００５２】
算出時刻＝Series Time＋相対フレーム時刻
かくして算出時刻は、ｎ番目のシングルフレーム画像データに対応するｎ番目のフレームの画像の撮像時刻が算出されることになる。
【００５３】
ステップＳｂ７においてプロセッサ１１は、ステップＳｂ２で各種パラメータが削除されたのちの付帯情報に対してステップＳｂ６で算出した算出時刻を付加し、これによってｎ番目のシングルフレーム画像データに関する付帯情報を生成する。なお、算出時刻は、DICOM TAG「0008,0033」に関する値として付帯情報に含められる。
【００５４】
ステップＳｂ８においてプロセッサ１１は、ｎ番目のシングルフレーム画像データを記憶部１２から読み出す。
【００５５】
ステップＳｂ９においてプロセッサ１１は、ステップＳｂ８で読み出したシングルフレーム画像データとステップＳｂ７で生成した付帯情報とをＤＩＣＯＭフォーマットに従って含んだシングルフレーム画像ファイルを生成し、これを記憶部１２に記憶させる。
【００５６】
ステップＳｂ１０においてプロセッサ１１は、変数ｎがフレーム数Ｎ以下であるか否かを確認する。そして変数ｎがフレーム数Ｎ以下であるときには、プロセッサ１１はステップＳｂ５乃至ステップＳｂ１０の処理を繰り返す。これにより、図２の処理によって生成されたＮ個のシングルフレーム画像データをそれぞれ含んだＮ個のシングルフレーム画像ファイルが生成される。そしてこのようにＮ個のシングルフレーム画像ファイルの生成が完了し、変数ｎがフレーム数Ｎを越えたならば、プロセッサ１１はステップＳｂ１０からステップＳｂ１１へ進む。
【００５７】
ステップＳｂ１１においてプロセッサ１１は通信部１５を制御し、上記のように生成したｎ個のシングルフレーム画像ファイルをＰＡＣＳ３０へ送信する。
【００５８】
ＰＡＣＳ３０は、これらｎ個のシングルフレーム画像ファイルを個別に保管する。
【００５９】
以上のように本実施形態の医用データ変換装置１０によれば、次のような効果が達成される。
【００６０】
1) 例えば数100から数1000といった多数のフレームを持つマルチフレーム画像を自動にてシングルフレーム画像に分解することができ、そのための作業効率を向上できる。
【００６１】
2) 生成されたシングルフレーム画像ファイルにおける付帯情報の患者情報は、マルチフレーム画像ファイルから継承されて欠落しない。
【００６２】
3) 生成されたシングルフレーム画像ファイルにおける付帯情報の検査情報は、マルチフレーム画像ファイルから継承されて欠落しない。
【００６３】
4) シングルフレーム画像データが表す医用画像としての画質は、モダリティ２０で生成された元データが表す医用画像の画質と同程度を維持できる。
【００６４】
5) 一般的なＰＡＣＳ３０と親和性の高いシングルフレーム画像ファイルを生成できる。
【００６５】
この実施形態は、次のような種々の変形実施が可能である。
【００６６】
マルチフレーム画像データに含まれる全てのフレームのうちの一部のみのフレームに関するシングルフレーム画像ファイルを生成しても良い。この場合、例えば操作者に指定された１つまたは複数のフレームに関するシングルフレーム画像ファイルを生成したり、操作者により指定された期間に含まれる複数のフレームに関するシングルフレーム画像ファイルを生成することが考えられる。具体的には例えば、プロセッサ１１は、マルチフレーム画像データが表すマルチフレーム画像を表示部１３で表示させつつ、操作者による生成指示が操作部１４にてなされるのを待ち受ける。この生成指示は、１フレームを指定するために１度のみ行われるものであっても良いし、複数フレームを指定するために開始指示および終了指示が行われるものであっても良い。プロセッサ１１は、生成指示が行われた時点で表示部１３に表示させていたフレーム、または開始指示がなされてから終了指示がなされるまでの間に表示部１３に表示させたフレームを対象フレームとして、この対象フレームに関するシングルフレーム画像ファイルを生成する。
【００６７】
医用データ変換装置１０の機能を、モダリティ２０またはＰＡＣＳ３０に持たせても良い。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６９】
【図１】本発明の一実施形態に係る医用データ変換装置１０の構成を示すブロック図。
【図２】シングルフレーム画像データを生成するための図１中のプロセッサ１１の処理手順を示すフローチャート。
【図３】マルチフレーム画像ファイルの一部データの構造を示す図。
【図４】シングルフレーム画像ファイルを生成するための図１中のプロセッサ１１の処理手順を示すフローチャート。
【図５】Cine関連パラメータ、Multi-Frame関連パラメータ、Frame Pointers関連パラメータおよびMulti-Frame Overlay関連パラメータに属するパラメータの一例を示す図。
【符号の説明】
【００７０】
１０…医用データ変換装置、１１…プロセッサ、１２…記憶部、１３…表示部、１４…操作部、１５…通信部、１６…バス、２０…モダリティ、３０…ＰＡＣＳ、４０…ネットワーク。
【図１】
2010051476.tif 000003
【図２】
2010051476.tif 000004
【図３】
2010051476.tif 000005
【図４】
2010051476.tif 000006
【図５】
2010051476.tif 000007